Podtech/llm-jp-corpus-v4-ja_patent huggingface dataset:
(57)【要約】【課題】  油を使用した従来の揚げるコロッケにおいて、健康及び調理上における不都合を解決することから生まれた焼きコロッケを、衣を工夫する事により無添加で安全かつ安心な食品として提供する。【解決手段】  “揚げる”から“焼く”に調理方法を変える事でこの課題を解決すると同時に新しい食べ物としての地位を確立する。【選択図】  なし【特許請求の範囲】
【請求項１】
今迄のコロッケ＝揚げるの概念を無くし、衣を工夫する事によりコロッケ本来の持ち味を活かしつつ全く新しい特徴を有する“焼き”コロッケ。
【発明の詳細な説明】
【技術分野】
【０００１】
本発明はコロッケに関するものであり衣や調理工程を工夫する事により、これまでの「揚げる」コロッケから「焼く」コロッケにしたものである。
【背景技術】
【０００２】
従来から中身の具材を工夫したものはある。しかし調理工程において総べからず油を使い揚げたものである。その例として特許文献１がある。
【特許文献１】特開２００４−１４１０５４
【特許文献２】特開平５−１０３６４３
【発明の開示】
【発明が解決しようとする課題】
【０００３】
しかし、従来の油で揚げたコロッケは油の劣化(酸化)や摂り過ぎ及び各種添加物による健康面の問題点、胃に重いと感じる点、さらに例えばポテトコロッケの様に調理の過程においてポテト味付け整形後一度冷ましてから粉付け→揚げる作業となり時間的ロスの問題点もある。一方、日本の代表するファーストフードになりうる要素を持ちながら、そのまま食す場合は別として、ソース、醤油等をつけた際の液ダレの問題もある。又従来の揚げるコロッケの一般的な粉付け作業後、只焼くだけでは粉臭くなり美味しくならない。これらの問題点を克服する事を課題とする。
【課題を解決するための手段】
【０００４】
これらの課題を克服する為、請求項１の発明は油で揚げる事はせず、オーブン又は焼き台で焼き上げる調理方法をとる。
コロッケの調理方法の例として、特開平５−１０３６４３がある。
しかし、これは従来のコロッケを含むフライ全般の調理方法を網羅したに過ぎない。一貫して食材から衣具材に至る迄の具体的な調理方法・完成商品及びそれに至る迄の問題点や工夫の説明はない。
【０００５】
但し、従来の衣の作り方、小麦粉→卵→パン粉を焼き上げた場合、素材の水分が飛ぶだけで粉っぽくなってしまう。従って「焼きコロッケ」においては、中濃ソース２：ウスターソース１：水３〜４のソース味の薄め液を作り、粉付け後それに数秒浸し、ポテトチップスを細かく砕いたもの(以下チップス粉と呼ぶ)を付けそれを焼き上げる調理方法をとる。
クリームコロッケ等、ソース味を嫌う場合はブイヨン又はチキンコンソメを数倍の水で溶き温めた液に数秒浸し、チップス粉をつけ、焼き上げる。これにより粉臭さは解消しコロッケの食感を保つことが出来る。
【発明の効果】
【０００６】
本発明は油で揚げる作業が無い為、油の劣化を考える必要は無く、胃にかかる負担の軽減が可能となる。又、従来の揚げるコロッケ、例えばポテトコロッケ等は揚げる時の破裂防止の為に冷ます必要がある。しかし本発明は冷ます必要はなく一連の作業を時間のロスも無く行うことが出来る。
【発明を実施するための最良の形態】
【０００７】
焼きコロッケの具材・味付けさらに形状に関しては従来の揚げるコロッケに対応可能です。しかし実際コロッケを作る際、保存用の添加物、形を保つ為の添加物等、認可されている添加物であっても近年の健康意識の高い時代においては不安はぬぐえない。従ってそれらを一切使わず、ポテトコロッケにおいては素材のポテトを皮付きのまま電子レンジで温め、中まで熱が通ったら皮をむきマッシュにし塩、コショーで味付けする。整形後、小麦粉→とき卵→パン粉の順に付けて、ソース味なら、ウスターソース１：中濃ソース２：水３〜４の溶液に数秒浸し、チップス粉をつけそのまま焼く。表面が焼きあがれば出来上がり。表面にソース味が付いている為ソースを付ける必要がない。
【０００８】
メンチコロッケは豚肉又は合びきに適量のバターでみじん切りのたまねぎを炒め味付け後加え、粘りがでる迄よくかき混ぜ形を作る。ポテトコロッケ同様の手順で粉付けをして溶液に浸し、チップス粉をつけてそのまま焼く。
【０００９】
クリームコロッケもホワイトソースを作り好みの食材を入れ、味付けをして形を整えたら同様に粉付けをして、ブイヨンを１０倍量の水でといた溶液を火にかけ、ブイヨンが溶けたら火を止め、コロッケを浸し、チップス粉をつけて焼く。これは他の種類でもソース味を嫌う場合、それらに応用可能である。
【００１０】
又、揚げるより焼く方が素材の持ち味(味や食感)を活かせる事もあり、例えば食材に直接卵をつけチップス粉やコーンフレークに衣を変えたりする事により素材との相性で、バリエーションを増やす事も可能です。
【産業上の利用可能性】
【００１１】
本発明の焼きコロッケは調理方法を揚げるから焼くに根本的に変えたことで従来のコロッケの欠点を克服し、添加物を一切使用しない全く新しい軽くヘルシーな食べ物です。冷凍加工及び大量生産も可能であり、新しい食べ物としての地位を確立する可能性を有します。
(57)【要約】【課題】  一般的な物理的圧力による抽出に比べ、果汁のきめ細かさが格段に細かくなっており、健康増進効果等の観点や酸化を防げる果汁を消費者に提供することなど。【解決手段】  縦型スクリュー式遠心分離機によって、果物から喉越しのよい果汁を抽出する方法であって、前記縦型スクリュー式遠心分離機は、縦型の回転外胴部と、当該回転外胴部内に同心であり、かつ回転自在に装入されたところの、外周面に長さ方向に向けて連続するスクリュー羽根を形成した上下一対の回転内胴部とからなること、を特徴とした果汁抽出方法である。【選択図】なし【特許請求の範囲】
【請求項１】
縦型スクリュー式遠心分離機によって、果物から喉越しのよい果汁を抽出する果汁の生産方法であって、
前記縦型スクリュー式遠心分離機は、
縦型の回転外胴部と、当該回転外胴部内に同心であり、かつ回転自在に装入されたところの、外周面に長さ方向に向けて連続するスクリュー羽根を形成した上下一対の回転内胴部とからなること、
を特徴とした、果汁を抽出する果汁の生産方法。
【請求項２】
縦型スクリュー式遠心分離機によって、果物から抽出された喉越しのよい果汁であって、
前記縦型スクリュー式遠心分離機は、
縦型の回転外胴部と、当該回転外胴部内に同心であり、かつ回転自在に装入されたところの、外周面に長さ方向に向けて連続するスクリュー羽根を形成した上下一対の回転内胴部とからなること、
を特徴とした抽出果汁。
【発明の詳細な説明】
【技術分野】
【０００１】
本発明は、果汁抽出方法に関するものであり、特に、果物から喉越しのよい果汁を抽出する方法に関するものである。
【背景技術】
【０００２】
従来から、果物を搾る際には、手作業又は機械により物理的に果物を搾ることにより果汁を得ていた。すなわち、絞り器を使った手作業による絞り作業や、果物を絞る機械を利用した機械絞りにより、果物から果汁を得ていた。
【発明の開示】
【発明が解決しようとする課題】
【０００３】
しかし、従来の手作業又は機械により物理的に果物を搾る方法では、成分の粗い果汁しか抽出することができず、必ずしも喉越しが爽やかであるとはいえなかった。これは、喉越し爽やかな果汁を求める消費者のニーズにも合わず、果汁消費の停滞を招く一因でもあった。
【課題を解決するための手段】
【０００４】
そこで、上記課題を解決するため、本発明に係る果汁の生産方法は、縦型スクリュー式遠心分離機によって、果物から喉越しのよい果汁を抽出する果汁の生産方法であって、前記縦型スクリュー式遠心分離機は、縦型の回転外胴部と、当該回転外胴部内に同心であり、かつ回転自在に装入されたところの、外周面に長さ方向に向けて連続するスクリュー羽根を形成した上下一対の回転内胴部とからなること、を特徴とした、果汁を抽出する果汁の生産方法である。
【０００５】
本発明を利用すると、縦型スクリュー式遠心分離機によって効率的な果汁抽出が可能となり、喉越し爽やかな果汁を得ることができる。これにより、より消費者のニーズに合った果汁を販売することができる。
【０００６】
また、他の発明は、上記縦型スクリュー式遠心分離機から抽出された果汁である。当該果汁は、一般的な物理的圧力による抽出に比べ、果汁のきめ細かさが格段に細かくなっており、健康増進効果等の観点や酸化を防ぐ点で有用である。
【発明を実施するための最良の形態】
【０００７】
以下、本発明の実施形態を更に説明する。
【０００８】
本発明に使用する縦型スクリュー式遠心分離機は、縦型の回転外胴部と、当該回転外胴部内に同心であり、かつ回転自在に装入されたところの、外周面に長さ方向に向けて連続するスクリュー羽根を形成した上下一対の回転内胴部とから構成されている。
【０００９】
そして、当該縦型スクリュー式遠心分離機の回転内胴部には、分流リブ板を複数毎採用することによって高速回転を可能にしている。
【００１０】
この複数毎採用した分流リブ板により、喉越し爽やかな果汁を得るのである。
【００１１】
抽出した果汁は、ボトル詰めされて消費者の手元に流通し、消費者はこれを飲用する。通常の果汁に比べ果汁のきめ細かさが格段に細かくなっており、消費者の健康増進効果等の観点から非常に有用である。
(57)【要約】 【課題】愛玩動物、畜産動物の生活環境の管理は、管理者が任意の固定位置に取り付けた検針パネルなどの数値を確認することで行われており、行動している個々の動物の生活環境が管理、把握されているとはいいがたい状況となっている。また把握するためいは、多大なコストが発生してしまい、現実的ではなかった。【解決手段】該動物の負担にならない形状に設置した生活環境情報記録装置を個々の動物の首輪、鼻輪などと共につけることにより、該動物の生活環境情報を把握し迅速な診断、判断対応が可能となる。 【選択図】図１
2008125418.tif 000002
【特許請求の範囲】
【請求項１】
愛玩動物、畜産動物の生活環境情報を監視・管理する場合において、該情報を測定・記録する装置を該動物に取付けておくことを特徴とする愛玩動物、畜産動物の生活環境情報を監視・管理するシステム
【請求項２】
前記愛玩動物、畜産動物の生活環境情報測定・記録装置を該動物に取付けておくことで、該動物の体調管理、及び該動物の体調不良原因・診断の基準として、該愛玩動物、畜産動物の生活環境情報測定・記録データを利用するシステム
【請求項３】
前記愛玩動物、畜産動物の生活環境情報測定・記録装置にＧＰＳなど位置検知機能を付加することにより、該愛玩動物、畜産動物の生活環境情報測定・記録データと該動物の行動特性の相関を解析するシステム
【請求項４】
前記愛玩動物、畜産動物の生活環境情報測定・記録装置に個体認識用のＩＤ番号を付加することにより、該動物の行動特性管理を行なう上で個体認識を確実にするシステム
【発明の詳細な説明】
【技術分野】
【０００１】
本発明は、愛玩動物、畜産動物の温度、湿度などに代表される生活環境情報に対して、該生活環境情報を測定・記録できる装置を該動物に取付けておくことにより、該動物の生活環境情報を連続的に測定・記録することを可能とし、該動物の生活環境変化などの把握を該動物の目線での実測データを用いて、該動物の健康維持、育成、繁殖、生産などに対する判断基準の質を向上させることを目的とする。
【背景技術】
【０００２】
現在、愛玩動物、畜産動物の生活環境としての温度・湿度などの管理は、主に空調設備などの管理業務担当者が管理しやすい任意の固定場所に設置された検針パネルなどの数値の確認・点検をチェックリストに従い行なっている。
【０００３】
しかしながら、ここで確認される情報は管理すべき該動物の実際の生活環境情報と必ずしも一致するものではなく、管理基準として決めた任意の場所の設定された測定器の情報であり、該動物自体の生活環境情報とは云い難い状況となっている現実がある。
【０００４】
さらに、任意の時間間隔で管理者が確認する場合には、その任意の時間間隔におけるその間の情報の欠落が発生することになる。
【０００５】
また、従来の方法で正確に該動物の生活環境情報を測定管理しようとすると、該動物が生活している任意の場所の環境情報を測定するため膨大な数の測定機器を設置しなければならず、導入にあたり多大なコストが発生するものであった。
【発明の開示】
【発明が解決しようとする課題】
【０００６】
本発明は、上述のごとき実情に鑑みてなされたものであり、該動物の負担にならない形状および質量を持った生活環境情報記録装置を個々の動物の首輪、胴輪、鼻輪などの施錠道具を用いて取付け、実際に該動物が生活している環境を確認することが可能となり、それに応じた個々の対応が可能となる。
【課題を解決するための手段】
【０００７】
本発明は、記録装置として半導体メモリを使用することにより、該動物に生活環境情報記録装置を取付けることにより多大なインフラ設備コストを投入しなくても該動物の生活環境情報を把握し迅速な診断、判断対応できることを最も主要な特徴とする。
【発明の効果】
【０００８】
本発明によれば、該動物が、何らかの疾病にかかった場合、原因判断の基準情報のひとつとして情報を入手可能となり、生活環境管理面においても個々の動物の生活環境情報を入手し管理業務に活かすことが可能となる。
【０００９】
また、該生活環境情報記録装置にGPSなどの位置検知機能を付加することで、さらに位置情報を交えた形での利用が可能となる。
【発明を実施するための最良の形態】
【００１０】
該生活環境情報記録装置に固有のＩＤ番号を付与することにより、読み取ったデータを点検箇所または点検項目のデータベースと比較することで操作者の点検箇所のもれを減らすことができ、またログとして記録が残るため保守に関する安全を保証することにも繋がる。
【００１１】
以下、本発明の実施形態について、図面を用いて説明する。
【実施例１】
【００１２】
本発明の一実施例について、図１を参照して説明する。図１は、本発明を利用したシステム概要図であり、１は生活環境情報記録装置であり、２は生活環境情報対象動物であり、３は、測定器情報を読み取る装置である。また４は、情報を管理する上位コンピューターである。
【００１３】
図１に示すように、生活環境情報記録装置を対象動物に取り付け、管理業務担当者が数値を確認するとともに読取装置にて生活環境情報記録装置の値を読み込む。
【００１４】
またこのとき、あらかじめ登録されている上位コンピュータのデータを確認することでデータ収集対象の生活環境情報記録装置もれなどの確認も同時に行なうことができる。
【００１５】
操作者が読み取ったデータと空調設備および設定環境などの設定値を比較することにより、該動物の生活環境の向上にも役立だてることが可能である。
【００１６】
以上のように、個々の該動物に生活環境情報記録装置を、取付けておくことで愛玩動物、畜産動物などに問題が発生した場合の原因判断、診断の1つの指標として用いることが可能な生活環境情報を、簡単にかつ確実に入手するという課題を解決することができる。
【産業上の利用可能性】
【００１７】
本発明の活用例としては、愛玩動物、畜産動物など動物の飼育環境管理や獣医などの診察を助ける補助的装置確認できる手段として活用できる。
【図面の簡単な説明】
【００１８】
【図１】本発明の愛玩動物、畜産動物の生活環境情報管理システムのシステム機器構成概要図である
【符号の説明】
【００１９】
１：生活環境情報記録装置
２：対象動物
３：読取装置
４：上位コンピューター
【図１】
2008125418.tif 000003
(57)【要約】【課題】  圧電スピーカにおける低音域での音圧レベルの向上と広帯域での音質の向上を図る。【解決手段】  フロント圧電振動板と接続ロッドによりフロント圧電振動板に連結されるリア圧電振動子および高周波振動の抑制と音圧レベルの平坦化を図るエアダンパ室を備えた構成とする。【選択図】図２
2008061210.tif 000002
【特許請求の範囲】
【請求項１】
フロント圧電振動板（圧電振動子）に接続ロッドを介して、ユニモルフ又はバイモルフタイプのリア圧電振動子（圧電振動板）を連結し、更にエアダンパ室を付設して低音域のみならず、広帯域での音圧レベルの向上と平坦化、音質の向上を実現する。
【請求項２】
フロント圧電振動板とリア圧電振動子の中心部を金属製又は樹脂製等の接続ロッドで接続し、更にリア圧電振動子に空気ダンパ室を付加する。エアダンパ室内の空気圧は調節孔によって調整される機構をもつ圧電スピーカ。
【請求項３】
フロント圧電振動子の任意の円周上とリア圧電振動子の外周を接続リングで連結して一つのエアダンパ室を形成する。更にリア圧電振動子を接続ロッドを介して筐体に接続し、エアダンパ効果をフロント圧電振動板とリア圧電振動子に同時に作用させる機構をもつ圧電スピーカ。
【発明の詳細な説明】
【技術分野】
【０００１】  本発明は、圧電スピーカの低音域の音圧レベルの向上と広帯域での音質の向上に関する。
【背景技術】
【０００２】  圧電スピーカは低音域での音圧レベルが低い短所がある。音圧レベルを高める有力な方法の一つは、放射面積を拡大する方法である。図１は円形圧電振動板（振動子）に励起した曲げ振動を、コーン型音響振動板に効率良くまたスムーズに伝達するように工夫されたコーン型圧電スピーカである（特許文献１）。一枚の金属円板より一体成形加工して製作されたコーン型圧電振動板１と音響振動板３で構成されている。
【特許文献１】  特願２００５−２４３３８６
【０００３】  コーン型振動板の円板部の表面に接着された圧電セラミックス（バイモルフ又はユニモルフタイプ）に交流電圧を印加することによって円板部に曲げ振動が励起され、その振動の一部はコーン部に伝播する。また一部は接続ロッド２を介して円形音響振動板３に伝達される。４は振動板の動きを出来るだけ妨げないように工夫されたエッジでダンパを兼ね、筺体５に接合されている。
【本発明が解決しようとする課題】
【０００４】  前記構成のコーン型圧電振動板において、円板部の他にコーン部が付加されたことにより、広帯域に亘って音圧レベルは全体的に向上している。しかし、低音域の音圧レベルは未だ十分でない。またピーク・デイップの発生と高調波成分を含む音の歪が生じる状況にある。
【０００５】  本発明はこのような状況を鑑み、特に低音域での音圧レベルの向上、広帯域に亘る音圧レベルの平坦化、高調波歪の抑制と音質の向上を実現する圧電スピーカを提供することを目的としている。
【問題を解決する手段】
【０００６】  本発明はこのような目的を達成するために、フロント圧電振動板（コーン型圧電振動板）にリア圧電振動子（円形圧電振動板）を連結し、さらにエアダンパ室を付加する構成とした。
【発明の効果】
【０００７】  上記構成により、フロント圧電振動板は接続ロッドを介してリア圧電振動子に連結されるので、フロント圧電振動板に発生する振動変位はフロント圧電振動板１個の場合に比べて極めて増大する。またエアダンパ効果によって、高周波成分の振動は抑制されて歪が低減され、広帯域に亘って音圧レベルの向上と平坦化及び音質向上が実現する。
【発明を実施するための最良の形態】
【０００８】（１）発明の圧電スピーカは、フロント圧電振動板（圧電振動子）とリア圧電振動子から構成されており、フロント圧電振動板に発生する振動変位を二つの圧電振動子の相乗効果によって増大させることができる。
（２）本発明の目的である低音域での音圧レベルの向上、広帯域に亘る音圧レベルの平坦化、高調波歪の抑制と音質の向上は圧電スピーカ開発における至上命題であり、フロント及びリア圧電振動子に加えてエアダンパを付加することにより実現することができる。
【実施例】  以下に本発明の詳細を図２，３，４に示す実施例に基づいて説明する。【０００９】  図２は本発明の一実施例に係わる圧電スピーカの断面図である。フロント圧電振動板（コーン型圧電振動板）１と接続ロッド２を介してフロント圧電振動板の中央に連結されるリア圧電振動子（円形圧電振動板）３−１及びエアダンパ室６で構成される。フロント圧電振動板とリア圧電振動子は互いに逆位相で変位するように、圧電振動子の極性を変えて接続される。またリア圧電振動子には、エアダンパ室が付加され、高調波成分の振動の抑制と歪の除去、音圧レベルの平坦化が図られる。【００１０】  図３は本発明の他の実施例に係わる圧電スピーカの断面図である。この実施例では、図２の実施例とほとんど同じ構成であるが、リア圧電振動子にさらにダンパーウエイト８を付加している。またエアダンパ室内の空気圧を調整する調整孔９を設けている点が図２の実施例と異なっている。【００１１】  図４は本発明の他の実施例に係わる圧電スピーカの断面図である。この実施例ではフロント圧電振動板１のコーン部の外表面上に接続リングを介してリア圧電振動子３−１を連結し、同時に一つのエアダンパ室６を形成する。リア圧電振動子はさらに、接続ロッド７を介して筺体５に接続される。このようにして、フロント圧電振動板とリア圧電振動子の両方に直接エアダンパを作用させることにより、低音域の音圧レベルのより一層の向上と音質向上が可能となる。
【産業上の利用可能性】
【００１２】  圧電スピーカはダイナミックスピーカに比べて高騒音下における音声明瞭度が極めて優れており、音声用のスピーカとして今後各方面での急速な需用拡大が見込まれる。さらに、中・高音域では音声再生能力に優れるが、低音域での音圧レベルが低いという圧電スピーカの欠点が克服されることにより、ダイナミックスピーカに比べて消費電力が少なく、軽量、薄型化が容易で快い音を再生する圧電スピーカは、カーオーディオ用スピーカをはじめとして、各種交通機関、医療機関、産業機関、娯楽機関などにおける用途は有力であり、市場性は極めて高い。
【図面の簡単な説明】
【００１３】
【図１】コーン型圧電振動板を用いたスピーカ（特願２００５−２４３３８６）
【図２】リア圧電振動子とエアダンパを付加したコーン型圧電スピーカ（１）
【図３】リア圧電振動子とエアダンパを付加したコーン型圧電スピーカ（２）
【図４】リア圧電振動子とエアダンパを付加したコーン型圧電スピーカ（３）
【符号の説明】
【００１４】１  フロント圧電振動板（コーン型圧電振動板）
２  接続ロッド
２−１  接続リング
３  円形音響振動板
３−１  リア圧電振動子（円形圧電振動板）
４  エッジ
５  筺体
６  エアダンパ室
７  接続ロッド
８  ウエイトダンパー
９  内圧調整孔
【図１】
2008061210.tif 000003
【図２】
2008061210.tif 000004
【図３】
2008061210.tif 000005
【図４】
2008061210.tif 000006
(57)【要約】【課題】誘導発電機を電力系統に連系する場合の突入電流を、低コストに抑制し得るようにする。【解決手段】分散型電源装置を構成する電力系統１と、誘導発電機２との間に接続される遮断器４に対し並列にインバータ３を設け、誘導発電機２を電力系統１に連系する場合は、インバータ３より誘導発電機２に対し、０から徐々に増加する電圧を出力し、この電圧が電力系統電圧と等しくなったときに電力系統１と連系する。つまり特別な装置などを付加することなく、連系時の突入電流を低コストに抑制できるようにする。【選択図】図１
2008061297.tif 000002
【特許請求の範囲】
【請求項１】
電力系統に接続された負荷に誘導発電機より電力を供給する分散型電源装置の、前記電力系統と誘導発電機との間に接続される遮断器に対し並列にインバータを設け、前記誘導発電機を電力系統に連系するときは、前記インバータより誘導発電機に対し、０から増加する電圧を出力し、この電圧が電力系統電圧と等しくなった時点で、電力系統に連系させることを特徴とする誘導発電機の起動方法。
【請求項２】
前記インバータより出力する電圧は、インバータ出力電流値に応じて変えることを特徴とする請求項１に記載の誘導発電機の起動方法。
【発明の詳細な説明】
【技術分野】
【０００１】
この発明は、風力や水力、エンジン等で誘導発電機を駆動することにより電力系統に電力を供給する分散型電源装置において、誘導発電機を電力系統に連系する場合に発生する突入電流を抑制する誘導発電機の起動方法に関する。
【背景技術】
【０００２】
図３に、例えば特許文献１に開示された従来例を示す。なお、１は電力系統、２は誘導発電機、３は可変無効電力発生器、４は遮断器である。
誘導発電機２は、電力系統１に連系した後は、その回転速度を制御することで発電する。すなわち、誘導発電機２の回転速度を定格速度（電力系統電圧の周波数相当）より高めにすると、有効電力を電力系統１へ供給することができ、これとは逆に、定格速度より低めにすると、電力系統１から誘導発電機２へ有効電力が供給されることになる。
【０００３】
図３で誘導発電機２を電力系統１に連系する場合の起動用として、電力系統１と誘導発電機２との間に、可変無効電力発生器３と遮断器４が設けられている。なお、可変無効電力発生器３としては、コンデンサとリアクトルを用いるものか、またはインバータを用いる。そして、誘導発電機２を起動するときは、遮断器４を開放したまま、図示されないエンジン等の外部手段により誘導発電機２を同期速度まで回転数を上げ、誘導発電機２の電圧が電力系統１の電圧と等しくなるように、可変無効電力発生器３からの無効電力を調整し、誘導発電機２の位相角と電力系統１の電圧の位相角とがほぼ一致したとき、遮断器４を投入することで突入電流を抑制するようにしている。
【０００４】
【特許文献１】特開２００５−１１７８７９号公報
【発明の開示】
【発明が解決しようとする課題】
【０００５】
上記のように、従来方式では誘導発電機の突入電流を抑制するために、可変無効電力発生器からの無効電力によって電圧を調整している。そのため、電圧検出器や電流検出器、さらには無効電力を演算する演算回路が必要になることから、コスト高になるという問題が生じる。
したがって、この発明の課題は、誘導発電機を電力系統に連系する場合の突入電流を、低コストに抑制し得るようにすることにある。
【課題を解決するための手段】
【０００６】
このような課題を解決するため、請求項１の発明では、電力系統に接続された負荷に誘導発電機より電力を供給する分散型電源装置の、前記電力系統と誘導発電機との間に接続される遮断器に対し並列にインバータを設け、前記誘導発電機を電力系統に連系するときは、前記インバータより誘導発電機に対し、０から徐々に増加する電圧を出力し、この電圧が電力系統電圧と等しくなった時点で、電力系統に連系させることを特徴とする。
この請求項１の発明においては、前記インバータより出力する電圧は、インバータ出力電流値に応じて変えることができる（請求項２の発明）。
【発明の効果】
【０００７】
この発明によれば、誘導発電機を電力系統に連系するに当っては、前記インバータより誘導発電機に対し、０から徐々に増加する電圧を出力し、この電圧が電力系統電圧と等しくなった時点で電力系統と連系するだけの操作、つまり特別な装置を付加することなく連系時の突入電流が抑制できるので、コストを低減することができる。
【発明を実施するための最良の形態】
【０００８】
図１にこの発明の実施の形態を示す。
図示のように、電力系統１と誘導発電機２との間に、可変無効電力発生器３と遮断器４を設けるのは従来と同様である。図１では、これらの他に電圧検出器５，可変ゲイン要素６およびＰＷＭ（パルス幅変調）演算器７を付加し、電圧検出器５で検出した電圧に、可変ゲイン要素６からの可変ゲインを乗じた結果をＰＷＭ演算器７に与えることにより、インバータ３の出力電圧を制御するようにしている。
【０００９】
可変ゲイン要素６として、その出力が０％から１００％まで、ランプ関数的に徐々に増加するものを選べば、インバータ３からは０より徐々に増加する電圧を出力することができ、これにより、インバータ３の出力電圧が電力系統電圧と同一になった時点で遮断器４を投入することにより、突入電流を抑制できることになる。
【００１０】
図２にこの発明の別の実施の形態を示す。
図１に対し、電流設定器８，除算器９，比較器１０および電流検出器１１を付加して構成され、除算器９により電流設定器８に設定される電流設定値を、電流検出器１１で検出した電流値で除算し、その値が１．０未満か否かを比較器１０で判断し、その結果に応じて可変ゲイン要素６の可変ゲインを制御するようにしたものである。これは、過大な電流がインバータに流れて、素子などを損傷しないようにするための手当てと言える。なお、上記電流設定値は、インバータの出力電流許容値よりも低い値に設定する。
【００１１】
具体的には、例えば以下のように制御する。
１）設定値≧インバータ３の出力電流のとき、すなわち除算値が１．０以上の場合は可  変ゲイン値をそのまま維持する。
２）設定値＜インバータ３の出力電流のとき、すなわち除算値が１．０未満の場合は可  変ゲイン値を増加させる。
【００１２】
その結果、誘導発電機２に印加される電圧が０から徐々に増加し、インバータ３の出力電圧が電力系統電圧と同一になった時点で遮断器４を投入すれば、誘導発電機２への突入電流を抑制することが可能となる。
【図面の簡単な説明】
【００１３】
【図１】この発明の実施の形態を示すブロック図
【図２】この発明の別の実施の形態を示すブロック図
【図３】従来例を示すブロック図
【符号の説明】
【００１４】
１…電力系統、２…誘導発電機、３…インバータ、４…遮断器、５…電圧検出器、６…可変ゲイン要素、７…ＰＷＭ演算器、８…電流設定器、９…除算器、１０…比較器、１１…電流検出器。
【図１】
2008061297.tif 000003
【図２】
2008061297.tif 000004
【図３】
2008061297.tif 000005
(57)【要約】【課題】一般家庭で侵入盗との犯罪に遭遇した場合、警察への通報は通常電話を利用する事となる。機器による通報は誤報が多く通話が原則となる。機器操作のみによる通報装置は警察の認可が必要であり一般的には認められていない。通話の原則を保持し、迅速かつ正確で誤報の無い又は誤報を直ちに解消できる手段を構築した電話機は一般家庭は勿論警察の希求するものである。【解決手段】電話子機に１１０番ワンタッチボタン１を使用すると送受話は送話マイク２と受話スピーカーに切り替わる。通話で犯罪遭遇を告げ、録音再生装置５に録音されていた住所氏名等は再生スイッチ４によって通報される。この間の操作は数秒で完了する。１１０番ワンタッチボタンを誤作動させても警察への呼び出し音のみ受話スピーカーから聞こえるため直ちに解消できる。【選択図】図１
2008061213.tif 000002
【特許請求の範囲】
【請求項１】
在宅時に犯罪遭遇の際、警察への通報に電話を利用する場合、電話子機に配した通話補助機能にて通話をサポートし、警察への誤作動発信には直ちに誤報を解消する手段を配した電話機。
【発明の詳細な説明】
【技術分野】
【０００１】本発明は、在宅時において強盗等の侵入者と遭遇した際、警察への通報手段となる電話の子機に１１０番ワンタッチダイアルに連動して作動する送話マイク、受話スピーカーと別途録音再生装置を施す事により、迅速かつ正確に通話通報され警察の危惧する誤報発信も直ちに解消する手段を有する。
【背景技術】
【０００２】従来から電話機を利用した緊急通報装置は様々発明されているが、一般家庭用電話機を利用した緊急通報装置は実用化されていない。
その理由は、金融機関等に設置されている緊急通報装置は警察への申請、認可が必要であり、通常一般家庭には適応されない為である。機械的通報装置では誤報は避けられず，この為誤報であっても警察は現場に出動せざるを得ない。
一般家庭に緊急通報装置を認可するとこの誤報出動が多発する。この為一般家庭からの電話による通報は、発信者の肉声での通話が原則となる。
一般家庭の電話機を利用した警察への緊急通報装置の実用化には、肉声通話を主体とした緊急通報装置と誤報の無い又は誤報を直ちに解消する手段が必要となる。
この手段の考案は為されていない。
【発明の開示】
【発明が解決しようとする課題】
【０００３】在宅時における侵入犯罪者との遭遇に際しては、迅速な警察への通報が不可欠である。警察への通報は通常電話によるものとなる。犯罪遭遇という異常な精神状態にある中で電話機に駆け寄り１１０番ダイアルし犯罪遭遇と住所氏名等を通話することは至難ともいえる。侵入盗の多発する一般家庭こそ、より迅速で正確な警察への申請、認可を必要としない通報手段の確立が必要である。その解決には、通報に際して肉声音声による通話を主体とした通報装置と誤報なき通報又は誤報を直ちに察知し解消する手段が必要である。本発明は此の手段を解決した。
【課題を解決するための手段】
【０００４】在宅時、侵入盗に遭遇した際ワイヤレス電話子機の１１０番ワンタッチボタン１を押すと此のスイッチと送話マイク２と受話スピーカー３が連動されているため電話呼び出し音、応答音声はスピーカーから聞こえる。警察の応答に、強盗です等との通話の後、録音再生スイッチ４を押すと、犯罪遭遇を事前に予測して録音再生装置５に録音されていた住所氏名等が再生され警察に伝達される。録音は録音スイッチ６と送話マイクで為される。
警察以外の電話使用の際、誤って１１０番ワンタッチボタンを作動させたとしても呼び出し音はスピーカーから流れる。このワンタッチボタン以外での使用ではマイク、スピーカーは作動しない。此の為、誤作動に気が付き警察の応答前に解消できる。仮にポッケト等に収納の際、不作為にワンタッチダイアルが作動し、子機の取り出しに時間を要し警察の応答音声が発せられたら送話マイクにて誤報の旨報知出来る。
【発明の効果】
【０００５】本発明は在宅時の犯罪遭遇に際して、警察への電話連絡を数秒の操作にて完了する。誤発信の無い犯罪通報システムは、警察も希求するところであり、此のシステムは普及率の高い電話機を利用している為、新たな設備投資を必要としない。
此の簡易通話通報を保持した電話機の普及は犯罪抑止効果をもたらす。
【発明を実施するための最良の形態】
【０００６】以下、本発明を実施する最良の形態について説明する。
電話の子機上部に１１０番ワンタッチボタン１と録音再生スイッチ４と録音スイッチ６を配列する。受話スピーカー３と録音再生装置５は子機上部に内蔵する。
送話マイク２は子機送話口に隣接して内蔵。
【図面の簡単な説明】
【０００７】
【図１】  本発明を示した電話子機の平面図である。
【符号の説明】
【０００８】  １  １１０番ワンタッチボタン
２  送話マイク
３  受話スピーカー
４  録音再生スイッチ
５  録音再生装置
６  録音スイッチ
【図１】
2008061213.tif 000003
(57)【要約】【課題】  弱って、たるんだ顔の筋肉強化と、ストレスによる脳の疲れを取り除いてくれる美顔・筋トレ・たるみ取り具を提供する。【解決手段】  球状の物体を顔全体に覆いかぶせられるように連結させて顔にのせ、顔全体の筋肉トレーニングで、たるみを取り、美顔をつくると共に頭蓋骨・頚椎の関節運動となり、脳の疲れを解消させることを特徴とする美顔・筋トレ・たるみ取り具。【選択図】図１
2008061988.tif 000002
【特許請求の範囲】
【請求項１】
球状の物体を顔全体に覆いかぶせる形状につなぎ合わせ、その球と球の間に少しの間隔をもち、球ひとつひとつが動かす筋肉に応じて可動するようにする。顔の動かしたい筋肉に接した球を意識して、顔全体の筋肉トレーニングをすることにより、たるみを取り美顔を甦らせる。頭蓋骨・頚椎の関節運動になり、脳のストレスまでも解消させることを特徴とする美顔・筋トレ・たるみ取り具。
【発明の詳細な説明】
【技術分野】
【０００１】  本発明は、殆ど使わない顔の筋肉のたるみや、皺が増えるのを防ぐ為の顔面の筋肉トレーニングに関するものである。
【背景技術】
【０００２】  従来は、高価な器具やスチームなどで、気軽にベッドなどに持ち込んで、美顔をすることは難しく、指先などによるマッサージは筋肉を強くするものでない。頭蓋骨や頚椎までの関節を動かし、脳のストレスまで解消させる物がなかった。
【発明の開示】
【発明が解決しようとする課題】
【０００３】  そのために次のような問題点があった。
（イ）高価な物は誰でもが求めにくかった。また、男性などが求めにくかった。
（ロ）指先マッサージは指が疲れ、指マッサージを意識してないと、直ぐにマッサージをわすれます。
本発明は、以上の問題点を幅広く解決するものである。
【課題を解決するための手段】
【０００４】  球状の物体を顔全体に覆いかぶせる形状につなぎ合わせ、球体に面した顔面の皮膚を動かす筋肉トレーニングで、顔面の筋肉自体を動かしますので、頭蓋骨の関節から頚椎までの運動になり、脳の疲れと、張りのある顔を作る。
以上を特徴とする美顔・筋トレ・たるみ取り具である。
【発明の効果】
【０００５】  枕元に置いておけば、誰もが気楽に使えますし、美顔だけでなく、頭の中の疲れを解消することが出来る。手を使わないので、疲れない。
【発明を実施するための最良の形態】
【０００６】  以下、本発明の実施の形態について説明する。
第一工程  体に害を与えない物質で球体を作り、球体と球体の間を、少しの間隔を開けて連結する。
第２工程  図１のように、鼻だし口（２）を開けて、あと顔全体を球で覆いかぶせる形状にし、各球体を連結する。
本発明品は以上の構成よりなっている。
本発明を使用する時は、仰臥の状態にて、上記の美顔・筋トレ・たるみ取り具を鼻出し口（２）より鼻（３）が出るように顔全体に覆いかぶせる。球体と球体間に自由な動きがあるので、どの様な顔形にも合う。動かそうとする筋肉上にある球体を意識して筋肉運動をする。頭蓋骨も頚椎も多くの骨の集合体ですので、顔面の、どの球体を動かしても、頭蓋骨・頚椎の関節が動き、脳の疲れが解消し、重力で下がる顔・首の筋肉に張りが出てくる。
【図面の簡単な説明】
【０００７】
【図１】本発明の斜視図
【図２】本発明の使用状態を示す斜視図
【符号の説明】
【０００８】    １  玉
２  鼻出し口
３  鼻
４  髪
【図１】
2008061988.tif 000003
【図２】
2008061988.tif 000004
(57)【要約】      （修正有）【課題】体調不良を引き起こす外部要因を除去する除去方法を提供する。【解決手段】体調不良を引き起こす外部要因、外部電磁波、外部磁場、静電気を体にプラスチック消しゴム２又は小型トランジスタ−を圧着装備して外部電磁波に共鳴しないようにし、又小型モ−タ−に永久磁石を取り付け回転磁界を作る事、又永久磁石を付けた容量の大きいコンデンサ−を人体に装着する事に依って外部磁場の影響を、又静電気を防ぎ、人体の保持を行なう。【選択図】図１
2008061984.tif 000002
【特許請求の範囲】
【請求項１】
人体の健康、体調保持に悪影響のある外部要因として電磁波の影響があるが、この電磁波の除去には電磁波が体と共鳴するのを防ぐ為、十から数十メガオ−ムの抵抗でかつ、適当なコンデンサ−容量を持つ、プラスチック消しゴムを一から数センチメ−トルの直方体又は立方体に切った物、又は小型のトランジスタ−、をガムテ−プで体の患部と思われる所に直接圧着固定するか、軽く絶縁した所を固定金具で圧着固定する事に依って、体の抵抗、インピ−ダンスを大きくし、悪影響を及ぼす電磁波と共鳴しない様にする事に依って外部要因を除去し、しつこい眠気、難尿、胃の不快感、胸焼け、体のびりびりするしびれ感、等を改善する事を特徴とする、体調不良の外部要因除去方法。
【請求項２】
請求項１の外部要因として、各種の磁場の進入があるが、小型モ−タ−の軸心等に永久磁石を付け、回転させる事に依って作る回転磁場に依って請求項１で実現しなかった症状、耳鳴り、歯の痛み、局所的点状痛み等の一時的改善又は改善する事を特徴とする請求項１の体調不良の外部要因除去方法。
【請求項３】
体調不良又は疾病の原因として外部電磁波による人体内における静電気生成が有り、この静電気除去は体表面に現れる正電荷をコンデンサ−で除去出来るが、比較的早く静電気が溜まってしまい対応出来なくなるのでコンデンサ−内の電荷周辺物質の磁化に依って、コンデンサ−の表面に永久磁石を設備する事で、コンデンサ−内部に向かって磁場が増加し、距離に依る磁場勾配の増加によって電場の時間的変化がマイナスになりこの結果電荷が減少し、静電気は逸散するので、人体表面に永久磁石を付けたコンデンサ−を接触させ長時間静電気を除去し続け、かつ請求項２の装置に依って時々更に除去する事を特徴とする請求項１の体調不良の外部要因除去方法。
【発明の詳細な説明】
【技術分野】
【０００１】本発明は体調不良の外部要因の電磁波、磁場、静電気の除去又は緩和の技術に関するものである。
【背景技術】
【０００２】電磁波除去は共鳴の除去、磁場の除去は回転磁場による消磁、静電気は永久磁石を付けたコンデンサ−の人体装着に依る除去による。
体調不良はこのような外部因子による事が多いと思われる事。
【発明の開示】
【発明が解決しようとする課題】
【０００３】
【０００４】外部要因に依る体調不良を除去する事
【課題を解決する為の手段】
【０００５】電磁波、磁場、静電気の除去を行なう事に依ってこの問題を解決した。
【発明の効果】
【０００６】極度の体調不良の状態はかなりな程度緩和される。
【発明を実施する為の最良の形態】
【０００７】一回のセットで出来るだけ長時間持続する外部要因除去装備である事。
【実施例１】
【０００８】プラスチック消しゴムを長方形に切り、縦一センチメ−トル、横二センチメ−トル高さ一センチメ−トルにし、これをガムテ−プに固定用金具を付けた物で人体のえりの付け根に圧着固定する事に依って、しつこい眠気、えりのしびれ感、が改善され、又腹部に圧着固定する事に依って胃の不快感、胸焼け等が改善され、又難尿等も改善された。
【実施例２】
【０００９】携帯用電気かみそりの回転刃車を取り外し、軸心に適当な方法で小さな永久磁石を固定し、回転させる事に依って、歯の痛み、耳鳴り、局所的点痛が改善された。
【実施例３】
【００１０】人体表面に永久磁石を付けたコンデンサ−容量の大きいコンデンサ−を装着する事に依って体内に溜まる静電気をとって丈夫な体になった。
【産業上の利用可能性】
【００１１】現代ストレスのほとんど大部分はこうした外部要因に因る体調不良と思われ、改善されるこれらの方法は比較的簡単な装備によって実現されるので普及効果は大きいと思われる。
【図面の簡単な説明】
【００１２】
【図１】図１は請求項１の体調不良の外部要因除去方法の装備の断面図である。
【図２】図２は請求項２の体調不良の外部要因除去方法の装備の立面斜視図である。
【図３】図３は請求項３の体調不良の外部要因除去方法の装備の断面図である。
【符号の説明】
【００１３】▲１▼人体
▲２▼プラスチック消しゴム
▲３▼固定用金具
▲４▼ガムテ−プ圧着固定
▲５▼小型モ−タ−
▲６▼軸心等
▲７▼永久磁石
▲８▼回転磁界
▲９▼コンデンサ−
【図１】
2008061984.tif 000003
【図２】
2008061984.tif 000004
【図３】
2008061984.tif 000005
(57)【要約】      （修正有）【課題】歯科技工作業である歯科用エンジンやエアータービンを使用しての石膏模型のトリミングや歯科補綴物製作時にでる粉塵は集塵機のみの回収では不十分であった。【解決手段】エアーガン本体１に開閉バルブ２、噴射ノズル３、エアーホース４と鉄板付凹アタッチメント５を設けることを特徴とするエアーガン。これにより、歯科技工作業である歯科用エンジンやエアータービンを使用して石膏のトリミングや歯科補綴物を製作するときに歯科技工用台座付エアーガンと集塵機の吸引口の間に気体の流れを作り出し、その間で歯科技工作業をすることにより粉塵を回収しやすくした。【選択図】図１
2008061982.tif 000002
【特許請求の範囲】
【請求項１】
エアーガン本体（１）に開閉バルブ（２）噴射ノズル（３）エアーホース（４）と鉄板付凹アタッチメント（４）を設けることを特徴とするエアーガン。
【請求項２】
請求項１に記載するエアーガンと着脱するために磁石付凸アタッチメント（５）支柱にフレキシブルアーム（６）と台座（７）を設けることを特徴としたエアーガン。
【請求項３】
請求項１に記載するエアーガンと着脱するため磁石付凸アタッチメント（５）支柱にフレキシブルアーム（６）とクリップ（８）を設けることを特徴としたエアーガン。
【発明の詳細な説明】
【技術分野】
【０００１】本発明は歯科技工作業の歯科技工用エンジンやエアータービンを使って石膏模型のトリミングや歯科補綴物の製作、研磨のときに出る粉塵を本発明の歯科技工用集塵補助エアーガンと集塵機の組み合わせによって集塵効率を高めまた歯科技工室内の空気を清潔に保つことができる歯科技工用集塵補助エアーガンに関するものである。
【背景技術】
【０００２】従来のエアーガンは机の脇に装備されており使用するときにエアーガンを取り出し石膏模型や歯科補綴物についた粉塵をエアーガンで気体を噴射して室内空間に飛ばすものであった。
【発明の開示】
【発明が解決しようとする課題】
【０００３】従来、机の脇にあったエアーガン使って石膏模型や制作中の歯科補綴物についた粉塵を室内空間に飛ばしていたので室内の空気が汚れた。【０００４】歯科技工作業である歯科技工用エンジンやエアータービンを使用しての石膏模型のトリミング作業時や歯科補綴物の製作時にでる粉塵は机上に備えてある集塵機のみでの回収は不十分であったため石膏模型や歯科補綴物、手や指先に粉塵が残っていた。【０００５】歯科技工用エンジンを使って石膏模型の支台歯のマージンラインをトリミングする時に石膏の粉塵がマージンラインを覆ってしまうので作業を中断してエアーガンを使用しマージンライン上の石膏の粉塵を室内空間に飛ばす必要があった。本発明は以上の欠点を解決するためになされたものである。
【課題を解決するための手段】
【０００６】エアーガン本体（１）に開閉バルブ（２）噴射ノズル（３）エアーホース（４）そして鉄板付凹アタッチメント（５）を設ける。台座（８）またはクリップ（９）に支柱のフレキシブルアーム（７）を立てそのうえに磁石付凸アタッチメント（６）を設けエアーガン本体（１）と着脱できるようにする。
【発明の効果】
【０００７】本発明を使用することによって歯科技工作業の歯科技工用エンジンやエアータービンを使用しての石膏模型のトリミング作業時や歯科補綴物の製作時にでる粉塵が集塵機の吸引口に回収されやすくなった。そのため石膏模型や歯科補綴物に粉塵がつかなくなったため作業を止めて粉塵を室内空間に飛ばす手間が省け作業時間の短縮になる。また室内の空気も汚れることがない
【発明を実施するための最良の形態】
【実施例】
【０００８】エアーガン本体（１）に気体の噴射量を調節する開閉バルブ（２）気体を噴射する噴射ノズル（３）コンプレッサーから気体を送りこむエアーホース（４）そして鉄板付凹アタッチメント（５）を設ける。台座（８）またはクリップ（９）から支柱のフレキシブルアーム（７）を立てその上に磁石付凸アタッチメント（６）を設けエアーガン本体（１）と着脱できるようにする。
本発明は以上の構成よりなっている。
本発明を使用する時は机の脇に装備されているエアーガン本体（１）をそれに設けられた鉄板付凹アタッチメント（５）で机上に装備してある台座（８）または机の天板にはさんであるクリップ（９）に設けられた磁石付凸アタッチメント（６）と磁力と凹凸で接続させてエアーガン本体（１）を机上に設置する。そして机上に装備してある集塵機の吸引口にフレキシブルアーム（７）で調節して噴射ノズル（３）を向け、開閉バルブ（２）で気体の噴射量を調節して集塵機の吸引口と歯科技工用集塵補助エアーガンの間に気体の流れを作り出しその気体の流れの間で歯科技工作業の歯科用エンジンやエアータービンでの石膏模型のトリミングや歯科補綴物の製作を行うときに粉塵が効率よく集塵されこの結果、手や石膏模型、歯科補綴物に粉塵が残らない。また台座やクリップ付で使用しないときは切り離して従来のようにエアーガンのように使用できる。
【図面の簡単な説明】
【０００９】
【図１】本発明の台座付の斜面図
【００１０】
【図２】本発明のクリップ付の斜面図
【００１１】
【図３】本発明の分解斜面図
【００１２】
【図４】アタッチメント拡大図
【００１３】
【図５】本発明の台座を使った使用状態を示す図
【００１４】
【図６】本発明のクリップを使った使用状態を示す図
【符号の説明】
１    エアーガン本体
２    開閉バルブ
３    噴射ノズル
４    エアーホース
５    鉄板付凹アタッチメント
５Ａ  鉄板
５Ｂ  凹アタッチメント
６    磁石付凸アタッチメント
６Ａ  磁石
６Ｂ  凸アタッチメント
７    フレキシブルアーム
８    台座
９    クリップ
１０  集塵機の吸引口
１１  歯科技工用エンジン
１２  歯科技工用集塵補助エアーガン
【図１】
2008061982.tif 000003
【図２】
2008061982.tif 000004
【図３】
2008061982.tif 000005
【図４】
2008061982.tif 000006
【図５】
2008061982.tif 000007
【図６】
2008061982.tif 000008
(57)【要約】【課題】  本発明は、シャツの襟と襟開口部付近のシャツ本体を接合させ、いわゆる「クールビズ仕様」風にシャツの襟開口部の体裁を整えるとともに、着脱自在な襟を飾るアクセサリーとしておしゃれを楽しむことのできる器具を提供する。【解決手段】  装飾が施された軸頭に針状の軸を備えた軸頭部分と、裏面縁部に装飾が施され、前記針状の軸を着脱自在に取り付けることができる軸ストッパーを内臓させた軸受け部分からなり、該軸ストッパーの裏面突起が、前記裏面縁部より突出していないことを特徴とする飾り襟止め。【選択図】図１
2008061986.tif 000002
【特許請求の範囲】
【請求項１】
装飾が施された軸頭に針状の軸を備えた軸頭部分と、裏面縁部に装飾が施され、前記針状の軸を着脱自在に取り付けることができる軸ストッパーを内蔵させた軸受け部分からなり、該軸ストッパーの裏面突起が、前記裏面縁部より突出していないことを特徴とする飾り襟止め。
【発明の詳細な説明】
【技術分野】
【０００１】  本発明は、シャツの襟開口部の体裁を整えるとともに襟のアクセサリーともなる器具に関するものである。
【背景技術】
【０００２】  従来、シャツ本体に糸で固定されたボタンと襟のボタンホールにより接合されるシャツが見受けられる。
【発明の開示】
【発明が解決しようとする課題】
【０００３】  ノーネクタイ場合、通常のワイシャツ等は、襟開口部の体裁がよろしくない。
固定されたボタンは、自由に取り替えることができない。
ボタンは、無味乾燥でおしゃれを楽しむことができない。
【課題を解決するための手段】
【０００４】  装飾が施された軸頭に針状の軸を備えた軸頭部分と、裏面縁部に装飾が施され、前記針状の軸を着脱自在に取り付けることができる軸ストッパーを内臓させた軸受け部分からなり、該軸ストッパーの裏面突起が、前記裏面縁部より突出していないことを特徴とする飾り襟止めである。
【発明の効果】
【０００５】  本発明の使用により、通常のワイシャツ等が、いわゆる「クールビズ仕様」風の建て襟となり体裁を整えるとともに、無味乾燥なボタンに替わり、着脱自在な襟を飾るアクセサリーとしておしゃれを楽しむことができる。軸ストッパー裏面突起が突出していないため、肌に触れても違和感や痛み等がない。
【発明を実施するための最良の形態】
【０００６】  以下、本発明の実施の形態を説明する。
（イ）軸頭（１）裏面に、針状の軸（２）を設置する。軸頭の表面には装飾が施されてい      る。
（ロ）軸受け（３）に、軸受け孔（４）を設け、軸ストッパー（７）を内蔵させる。軸受      け裏面には装飾が施されている。
（ハ）軸受け裏面の縁部（６）と軸ストッパー裏面突起（５）と高さを揃える。
本発明は、以上の構成よりなる。
本発明の使用方法は、シャツの襟表面に軸頭（１）がくるようにして、襟（８）と襟開口部付近のシャツを貫き、シャツ裏面において軸受け（３）で受けて軸ストッパー（７）で固定する。軸頭（１）をはずす場合は、軸ストッパー裏面突起（５）を摘み、該軸ストッパー裏面突起（５）と軸受け（３）の接合部に指爪を割り込ませるようにしてストッパーを解除のうえ、針状の軸（２）を抜き出す。
【図面の簡単な説明】
【０００７】
【図１】本発明の分解斜視図
【図２】本発明の軸頭部の正面図（Ａ）・軸受け部の裏面図（Ｂ）
【図３】本発明の側面図
【図４】本発明の装着状態図
【符号の説明】
【０００８】  （１）軸頭  （２）軸  （３）軸受け  （４）軸受け孔  （５）軸ストッパー裏面突起  （６）縁部  （７）軸ストッパー  （８）襟
【図１】
2008061986.tif 000003
【図２】
2008061986.tif 000004
【図３】
2008061986.tif 000005
【図４】
2008061986.tif 000006